【手続補正書】
【提出日】平成28年10月17日(2016.10.17)
【手続補正１】
【補正対象書類名】特許請求の範囲
【補正対象項目名】全文
【補正方法】変更
【補正の内容】
【特許請求の範囲】
【請求項１】
シート上のトナー像をその間で加熱する第1及び第２の回転体と、前記第1の回転体を摺擦処理する第1の摺擦回転体と、前記第２の回転体を摺擦処理する第２の摺擦回転体と、を有する画像加熱装置を制御する制御装置であって、
画像加熱処理されたシートの枚数をカウントするカウント手段と、
前記カウント手段の出力に応じて前記第1の摺擦回転体による摺擦処理を実行する第１の実行部と、
前記カウント手段の出力に応じて前記第２の摺擦回転体による摺擦処理を実行する第２の実行部と、
操作者による画像の光沢性を改良するモードの実行命令を取得する取得部と、
前記取得部が実行命令を取得したときに、前記カウント手段の出力に応じて前記第１の回転体と前記第２の回転体のいずれか、もしくは両方が摺擦処理されるべきかを決定する決定部と、
を有することを特徴とする制御装置。
【請求項２】
前記取得部が実行命令を取得したとき、前記決定部は、
前記第1の摺擦回転体による前回の摺擦処理から前記カウント手段によりカウントされるシート枚数が所定の値より少なく、かつ、前記第２の摺擦回転体による前回の摺擦処理から前記カウント手段によりカウントされるシート枚数が所定の値以上の場合、
前記第１の摺擦回転体による摺擦処理を実行せず、前記第２の摺擦回転体による摺擦処理を実行することを決定することを特徴とする請求項１に記載の制御装置。
【請求項３】
前記取得部が実行命令を取得したとき、前記決定部は、
前記第1の摺擦回転体による前回の摺擦処理から前記カウント手段によりカウントされるシート枚数が所定の値以上で、かつ、前記第２の摺擦回転体による前回の摺擦処理から前記カウント手段によりカウントされるシート枚数が所定の値より少ない場合、
前記第２の摺擦回転体による摺擦処理を実行せず、前記第１の摺擦回転体による摺擦処理を実行することを決定することを特徴とする請求項１に記載の制御装置。
【請求項４】
前記取得部が実行命令を取得したとき、前記決定部は、
前記第1の摺擦回転体による前回の摺擦処理から前記カウント手段によりカウントされるシート枚数が所定の値より少なく、かつ、前記第２の摺擦回転体による前回の摺擦処理から前記カウント手段によりカウントされるシート枚数が所定の値より少ない場合、
前記第１の摺擦回転体による摺擦処理を実行し、前記第２の摺擦回転体による摺擦処理を実行することを決定することを特徴とする請求項１に記載の制御装置。
【請求項５】
前記決定部は、
前記第１の摺擦回転体による摺擦処理の実行を決定するとき、前記カウント手段の出力に応じて前記第１の摺擦回転体による摺擦処理の時間を変更可能であり、
前記第２の摺擦回転体による摺擦処理の実行を決定するとき、前記カウント手段の出力に応じて前記第２の摺擦回転体による摺擦処理の時間を変更可能であることを特徴とする請求項１乃至４のいずれか１項に記載の制御装置。
【請求項６】
前記第１の実行部は、前記カウント手段によりカウントされるシート枚数が第１の値以上のとき、前記第1の摺擦回転体による摺擦処理を実行し、かつ、
前記第２の実行部は、前記カウント手段によりカウントされるシート枚数が前記第１の値と異なる第２の値以上のとき、前記第２の摺擦回転体による摺擦処理を実行することを特徴とする請求項１に記載の制御装置。
【請求項７】
シート上のトナー像をその間で加熱する第1及び第２の回転体と、
前記第1の回転体を摺擦処理する第1の摺擦回転体と、
前記第２の回転体を摺擦処理する第２の摺擦回転体と、
画像加熱処理されたシートの枚数をカウントするカウント手段と、
前記カウント手段の出力に応じて前記第1の摺擦回転体による摺擦処理を実行する第１の実行部と、
前記カウント手段の出力に応じて前記第２の摺擦回転体による摺擦処理を実行する第２の実行部と、
操作者による画像の光沢性を改良するモードの実行命令を取得する取得部と、
前記取得部が実行命令を取得したときに、前記カウント手段の出力に応じて前記第１の回転体と前記第２の回転体のいずれか、もしくは両方が摺擦処理されるべきかを決定する決定部と、
を有することを特徴とする画像加熱装置。
【請求項８】
前記取得部が実行命令を取得したとき、前記決定部は、
前記第1の摺擦回転体による前回の摺擦処理から前記カウント手段によりカウントされるシート枚数が所定の値より少なく、かつ、前記第２の摺擦回転体による前回の摺擦処理から前記カウント手段によりカウントされるシート枚数が所定の値以上の場合、
前記第１の摺擦回転体による摺擦処理を実行せず、前記第２の摺擦回転体による摺擦処理を実行することを決定することを特徴とする請求項７に記載の画像加熱装置。
【請求項９】
前記取得部が実行命令を取得したとき、前記決定部は、
前記第1の摺擦回転体による前回の摺擦処理から前記カウント手段によりカウントされるシート枚数が所定の値以上で、かつ、前記第２の摺擦回転体による前回の摺擦処理から前記カウント手段によりカウントされるシート枚数が所定の値より少ない場合、
前記第２の摺擦回転体による摺擦処理を実行せず、前記第１の摺擦回転体による摺擦処理を実行することを決定することを特徴とする請求項７に記載の画像加熱装置。
【請求項１０】
前記取得部が実行命令を取得したとき、前記決定部は、
前記第1の摺擦回転体による前回の摺擦処理から前記カウント手段によりカウントされるシート枚数が所定の値より少なく、かつ、前記第２の摺擦回転体による前回の摺擦処理から前記カウント手段によりカウントされるシート枚数が所定の値より少ない場合、
前記第１の摺擦回転体による摺擦処理を実行し、前記第２の摺擦回転体による摺擦処理を実行することを決定することを特徴とする請求項７に記載の画像加熱装置。
【請求項１１】
前記決定部は、
前記第１の摺擦回転体による摺擦処理の実行を決定するとき、前記カウント手段の出力に応じて前記第１の摺擦回転体による摺擦処理の時間を変更可能であり、
前記第２の摺擦回転体による摺擦処理の実行を決定するとき、前記カウント手段の出力に応じて前記第２の摺擦回転体による摺擦処理の時間を変更可能であることを特徴とする請求項７乃至１０のいずれか１項に記載の画像加熱装置。
【請求項１２】
前記第１の実行部は、前記カウント手段によりカウントされるシート枚数が第１の値以上のとき、前記第1の摺擦回転体による摺擦処理を実行し、かつ、
前記第２の実行部は、前記カウント手段によりカウントされるシート枚数が前記第１の値と異なる第２の値以上のとき、前記第２の摺擦回転体による摺擦処理を実行することを特徴とする請求項７に記載の画像加熱装置。
【請求項１３】
シート上にトナー像を形成する画像形成部と、
前記シート上のトナー像をその間で加熱する第1及び第２の回転体と、
前記第1の回転体を摺擦処理する第1の摺擦回転体と、
前記第２の回転体を摺擦処理する第２の摺擦回転体と、
画像加熱処理されたシートの枚数をカウントするカウント手段と、
前記カウント手段の出力に応じて前記第1の摺擦回転体による摺擦処理を実行する第１の実行部と、
前記カウント手段の出力に応じて前記第２の摺擦回転体による摺擦処理を実行する第２の実行部と、
前記トナー像の光沢性を改良するモードの実行を操作者により命令する操作部と、
前記操作部により前記モードの実行が命令されるとき、前記カウント手段の出力に応じて前記第１の回転体と前記第２の回転体のいずれか、もしくは両方が摺擦処理されるべきかを決定する決定部と、
を有することを特徴とする画像形成装置。
【請求項１４】
前記操作部で前記モードの実行が命令されるとき、前記決定部は、
前記第1の摺擦回転体による前回の摺擦処理から前記カウント手段によりカウントされるシート枚数が所定の値より少なく、かつ、前記第２の摺擦回転体による前回の摺擦処理から前記カウント手段によりカウントされるシート枚数が所定の値以上の場合、
前記第１の摺擦回転体による摺擦処理を実行せず、前記第２の摺擦回転体による摺擦処理を実行することを決定することを特徴とする請求項１３に記載の画像形成装置。
【請求項１５】
前記操作部で前記モードの実行が命令されるとき、前記決定部は、
前記第1の摺擦回転体による前回の摺擦処理から前記カウント手段によりカウントされるシート枚数が所定の値以上で、かつ、前記第２の摺擦回転体による前回の摺擦処理から前記カウント手段によりカウントされるシート枚数が所定の値より少ない場合、
前記第２の摺擦回転体による摺擦処理を実行せず、前記第１の摺擦回転体による摺擦処理を実行することを決定することを特徴とする請求項１３に記載の画像形成装置。
【請求項１６】
前記操作部で前記モードの実行が命令されるとき、前記決定部は、
前記第1の摺擦回転体による前回の摺擦処理から前記カウント手段によりカウントされるシート枚数が所定の値より少なく、かつ、前記第２の摺擦回転体による前回の摺擦処理から前記カウント手段によりカウントされるシート枚数が所定の値より少ない場合、
前記第１の摺擦回転体による摺擦処理を実行し、前記第２の摺擦回転体による摺擦処理を実行することを決定することを特徴とする請求項１３に記載の画像形成装置。
【請求項１７】
前記決定部は、
前記第１の摺擦回転体による摺擦処理の実行を決定するとき、前記カウント手段の出力に応じて前記第１の摺擦回転体による摺擦処理の時間を変更可能であり、
前記第２の摺擦回転体による摺擦処理の実行を決定するとき、前記カウント手段の出力に応じて前記第２の摺擦回転体による摺擦処理の時間を変更可能であることを特徴とする請求項１３乃至１６のいずれか１項に記載の画像形成装置。
【請求項１８】
前記第１の実行部は、前記カウント手段によりカウントされるシート枚数が第１の値以上のとき、前記第1の摺擦回転体による摺擦処理を実行し、かつ、
前記第２の実行部は、前記カウント手段によりカウントされるシート枚数が前記第１の値と異なる第２の値以上のとき、前記第２の摺擦回転体による摺擦処理を実行することを特徴とする請求項１３に記載の画像形成装置。
【手続補正２】
【補正対象書類名】明細書
【補正対象項目名】００１４
【補正方法】変更
【補正の内容】
【００１４】
上記目的を達成するため、本発明に係る制御装置は、シート上のトナー像をその間で加熱する第1及び第２の回転体と、前記第1の回転体を摺擦処理する第1の摺擦回転体と、前記第２の回転体を摺擦処理する第２の摺擦回転体と、を有する画像加熱装置を制御する制御装置であって、画像加熱処理されたシートの枚数をカウントするカウント手段と、前記カウント手段の出力に応じて前記第1の摺擦回転体による摺擦処理を実行する第１の実行部と、前記カウント手段の出力に応じて前記第２の摺擦回転体による摺擦処理を実行する第２の実行部と、操作者による画像の光沢性を改良するモードの実行命令を取得する取得部と、前記取得部が実行命令を取得したときに、前記カウント手段の出力に応じて前記第１の回転体と前記第２の回転体のいずれか、もしくは両方が摺擦処理されるべきかを決定する決定部と、を有することを特徴とする。
また、本発明に係る画像加熱装置は、シート上のトナー像をその間で加熱する第1及び第２の回転体と、前記第1の回転体を摺擦処理する第1の摺擦回転体と、前記第２の回転体を摺擦処理する第２の摺擦回転体と、画像加熱処理されたシートの枚数をカウントするカウント手段と、前記カウント手段の出力に応じて前記第1の摺擦回転体による摺擦処理を実行する第１の実行部と、前記カウント手段の出力に応じて前記第２の摺擦回転体による摺擦処理を実行する第２の実行部と、操作者による画像の光沢性を改良するモードの実行命令を取得する取得部と、前記取得部が実行命令を取得したときに、前記カウント手段の出力に応じて前記第１の回転体と前記第２の回転体のいずれか、もしくは両方が摺擦処理されるべきかを決定する決定部と、を有することを特徴とする。
また、本発明に係る画像形成装置は、シート上にトナー像を形成する画像形成部と、前記シート上のトナー像をその間で加熱する第1及び第２の回転体と、前記第1の回転体を摺擦処理する第1の摺擦回転体と、前記第２の回転体を摺擦処理する第２の摺擦回転体と、
画像加熱処理されたシートの枚数をカウントするカウント手段と、前記カウント手段の出力に応じて前記第1の摺擦回転体による摺擦処理を実行する第１の実行部と、前記カウント手段の出力に応じて前記第２の摺擦回転体による摺擦処理を実行する第２の実行部と、前記トナー像の光沢性を改良するモードの実行を操作者により命令する操作部と、前記操作部により前記モードの実行が命令されるとき、前記カウント手段の出力に応じて前記第１の回転体と前記第２の回転体のいずれか、もしくは両方が摺擦処理されるべきかを決定する決定部と、を有することを特徴とする。